(57)【要約】      （修正有）【課題】モジュール式に構成された支持ケージで、長手バーを容易な方法で回転不能に固定できるホルダリングを提供する。【解決手段】チューブフィルタの支持ケージ１のホルダリング３〜５は、中心軸２の周りに延伸する。ホルダリングは、中心軸２に関して半径方向外側にその周部にわたって分散された、半径方向外側に向かって開放されている複数の凹部を備える。凹部は作用していない状態で、中心軸２周りの周方向で見て内法幅を備える。ホルダリング３〜５は少なくとも凹部の領域において、柔軟に設けられている。支持ケージ１の長手バー６は、メイン延伸方向に長さＨにわたって延伸する。長手バー６は、メイン延伸方向に対して横方向で見て、内法幅よりも大きい太さを備える。長手バー６は、メイン延伸方向の方向で見てそれぞれ互いに距離ａを取るいくつかの中間接合箇所を備える。【選択図】図１
0003218627.tif 000002
【実用新案登録請求の範囲】
【請求項１】
チューブフィルタの支持ケージ（１）のホルダリングであって、
‐該ホルダリングは中心軸（２）の周りに延伸し、
‐前記ホルダリングは、前記中心軸（２）に関して半径方向外側にその周部にわたって分散された、半径方向外側に向かって開放されている複数の凹部（７）を備え、
‐該凹部（７）は作用していない状態で、前記中心軸（２）周りの周方向で見て内法幅（ｗ）を備え、
‐前記ホルダリングは少なくとも前記凹部（７）の領域において柔軟に設けられているので、前記内法幅（ｗ）よりも大きい太さ（ｄ）を備えかつ前記中心軸（２）に対して平行に延在する長手バー（６）が、半径方向外側から前記凹部（７）に圧入可能であり、かつ圧入後は前記凹部（７）内で締付保持されている
ホルダリングにおいて、
該ホルダリングが、半径方向内側に開放されかつ前記中心軸（７）周りの周方向で見て前記凹部（７）と同じ箇所に設けられているＵ字形の受容部（１２）を、半径方向内側に備えることを特徴とするホルダリング。
【請求項２】
前記ホルダリングは、そこから平らなウェブ（１０）が半径方向外側に延伸する、前記中心軸（２）の周囲を周回するメイン構造（９）を備えることを特徴とする請求項１に記載のホルダリング。
【請求項３】
前記凹部（７）は前記メイン構造（９）にではなく、もっぱら平らな前記ウェブ（１０）に設けられていることを特徴とする請求項２に記載のホルダリング。
【請求項４】
平らな前記ウェブ（１０）が前記凹部（７）の領域において、前記中心軸（２）の方向に延伸するそれぞれ１つの厚み部（１０’）を備えることと、前記中心軸（２）の方向での前記厚み部（１０’）の長さ（ｌ’）が、前記凹部（７）の前記内法幅（ｗ）よりも大きいこととを特徴とする請求項２あるいは３に記載のホルダリング。
【請求項５】
前記ホルダリングは、半径方向内側に向かって延伸しかつＵ字形の前記受容部（１２）をそれぞれ１つずつ含む平らな張出部（１３）を備えることを特徴とする請求項１から４のいずれか１項に記載のホルダリング。
【請求項６】
平らな前記張出部（１３）はその外側に、前記中心軸（２）の方向に延伸する末端部（１４）を備えるので、前記張出部（１３）はその末端部（１４）を含めて、その外側の領域において、Ｌ字形あるいはＴ字形の横断面を備えることを特徴とする請求項５に記載のホルダリング。
【請求項７】
前記ホルダリングは少なくともその表面好適にはすべてが、プラスチックから成ることを特徴とする請求項１から６のいずれか１項に記載のホルダリング。
【請求項８】
チューブフィルタの支持ケージ（１）の長手バーであって、
‐該長手バーは、メイン延伸方向に長さ（Ｈ）にわたって延伸しており、
‐前記長手バーは、メイン延伸方向に対して横方向で見て太さ（ｄ）を備え、
‐前記長手バーは、メイン延伸方向の方向で見てそれぞれ互いに距離（ａ）を取るいくつかの中間接合箇所（１５）を備える
長手バーにおいて、
メイン延伸方向が垂直に配向している場合、それぞれの前記中間接合箇所（１５）のすぐ上部および／あるいはすぐ下部の領域（１５’、１５”）において、前記長手バーは横断面がそれぞれ大きくなっているので、前記長手バーがそのそれぞれの中間接合箇所（１５）でメイン延伸方向に対して横方向に圧入されているそれぞれの中間ホルダリング（５）が、メイン延伸方向で見て少なくとも片側で、ずれないように固定されていることを特徴とする長手バー。
【請求項９】
前記長手バーが、メイン延伸方向に前記長手バーの前記長さ（Ｈ）にわたって延伸するメインセクション（１８）を備えることと、メイン延伸方向が垂直に配向している場合、前記長手バーはその下端部に、前記メインセクション（１８）とともに下部Ｕ字形の両腕部を形成する下部湾曲部（１９）を備えることとを特徴とする請求項８に記載の長手バー。
【請求項１０】
‐前記長手バーがメインセクション（１８）を備えることと、
‐メイン延伸方向が垂直に配向している場合、下部端末セクション（１９ａ）が前記メインセクション（１８）下部に隣接することと、
‐前記下部端末セクション（１９ａ）は、前記メインセクション（１８）に隣接する第１の下部部分セクション（１９ａ１）と前記長手バーの下端部を含む第２の下部部分セクション（１９ａ２）とその間にある第３の下部部分セクション（１９ａ３）とを含むことと、
‐前記第１の下部部分セクション（１９ａ１）は第１のカーブ方向に曲がっているので、前記下部端末セクション（１９ａ）の接線（１９ａ４）がメイン延伸方向とともに形成する角度（α）は、前記第１の下部部分セクション（１９ａ１）において、場所が前記長手バーの下端部への方向に進むに伴って、ますます大きくなることと、
‐前記第３の下部部分セクション（１９ａ３）は第１のカーブ方向とは逆に曲がっているので、前記角度（α）は前記第３の下部部分セクション（１９ａ３）において、場所が前記長手バーの下端部への方向に進むに伴って、まずはますます小さくなり、それからゼロになって、それからますます大きくなることと、
‐前記第２の下部部分セクション（１９ａ２）は第１のカーブ方向に曲がっているので、前記角度（α）は前記第２の下部部分セクション（１９ａ２）において、場所が前記長手バーの下端部への方向に進むに伴って、まずはますます小さくなり、それからゼロになって、それからますます大きくなることと
を特徴とする請求項８に記載の長手バー。
【請求項１１】
‐前記長手バーがメインセクション（１８）を備えることと、
‐メイン延伸方向が垂直に配向している場合、上部端末セクション（２０ａ）が前記メインセクション（１８）上部に隣接することと、
‐前記上部端末セクション（２０ａ）は、前記メインセクション（１８）に隣接する第１の上部部分セクション（２０ａ１）と前記長手バーの上端部を含む第２の上部部分セクション（２０ａ２）とその間にある第３の上部部分セクション（２０ａ３）とを含むことと、
‐前記第１の上部部分セクション（２０ａ１）は第２のカーブ方向に曲がっているので、前記上部端末セクション（２０ａ）の接線（２０ａ４）がメイン延伸方向とともに形成する角度（β）は、前記第１の上部部分セクション（２０ａ１）において、場所が前記長手バーの上端部への方向に進むに伴って、ますます大きくなることと、
‐前記第３の上部部分セクション（２０ａ３）は第２のカーブ方向とは逆に曲がっているので、前記角度（β）は前記第３の上部部分セクション（２０ａ３）において、場所が前記長手バーの上端部への方向に進むに伴って、まずはますます小さくなり、それからゼロになって、それからますます大きくなることと、
‐前記第２の上部部分セクション（２０ａ２）は第２のカーブ方向に曲がっているので、前記角度（β）は前記第２の上部部分セクション（２０ａ２）において、場所が前記長手バーの上端部への方向に進むに伴って、まずはますます小さくなり、それからゼロになって、それからますます大きくなることと
を特徴とする請求項８から１０のいずれか１項に記載の長手バー。
【請求項１２】
前記長手バーが、メイン延伸方向に前記長手バーの前記長さ（Ｈ）にわたって延伸するメインセクション（１８）を備えることと、メイン延伸方向が垂直に配向している場合、前記長手バーはその上端部に、前記メインセクション（１８）とともに上部Ｕ字形の両腕部を形成する上部湾曲部（２０）を備えることとを特徴とする請求項８から１０のいずれか１項に記載の長手バー。
【請求項１３】
前記メインセクション（１８）と前記下部湾曲部（１９）とを含む第１の平面で見て、あるいは前記メインセクション（１８）と前記下部端末セクション（１９ａ）とを含む第１の平面で見て、前記上部湾曲部（２０）も第１の平面にあることを特徴とする請求項９あるいは１０に記載の長手バー。
【請求項１４】
第１の平面の内部においてかつメイン延伸方向に対して直角に見て、前記メインセクション（１８）は前記下部湾曲部（１９）あるいは前記下部端末セクション（１９ａ）と前記上部湾曲部（２０）との間に設けられていることを特徴とする請求項１３に記載の長手バー。
【請求項１５】
‐前記メインセクション（１８）が、メイン延伸方向で見て、前記上部湾曲部（２０）の領域において上部セクション（２２）を備え、それに隣接して中間セクション（２３）を備え、それに隣接して前記下部湾曲部（１９）まであるいは前記下部端末セクション（１９ａ）まで延伸する下部セクション（２４）を備えることと、
‐前記上部セクション（２２）と前記下部セクション（２４）とが、互いに同一線上に並んでいることと、
‐第１の平面の内部においてかつメイン延伸方向に対して直角に見て、前記上部セクション（２２）と前記下部セクション（２４）とが、前記上部湾曲部（２０）と前記中間セクション（２３）との間に設けられていること
とを特徴とする請求項１４に記載の長手バー。
【請求項１６】
第１の平面で見て、前記中間接合箇所（１５）のすぐ上部および／あるいはすぐ下部の前記領域（１５’、１５”）においても、前記長手バーの横断面がこの領域（１５’、１５”）の外側と同じであることと、しかしながら、前記メインセクション（１８）を含みかつ第１の平面に対して直角に配向された第２の平面で見て、前記中間接合箇所（１５）のすぐ上部および／あるいはすぐ下部の前記領域（１５’、１５”）において、前記長手バーは横断面がそれぞれ大きくなっていることを特徴とする請求項１１あるいは請求項１３から１５のいずれか１項に記載の長手バー。
【請求項１７】
チューブフィルタの支持ケージであって、
‐該支持ケージは、複数のホルダリング（３から５）を備え、
‐該ホルダリング（３から５）の前記中心軸（２）は、前記支持ケージの円筒軸（２）と一致しており、
‐前記ホルダリング（３から５）は、前記支持ケージの前記円筒軸（２）の方向で見て、前記支持ケージの前記円筒軸（２）に対して平行に延在する長手バー（６）によって互いに距離を置いており、
‐前記ホルダリング（３から５）はそれぞれ、請求項１から７のいずれか１項に従って形成されており、
‐前記長手バー（６）はそれぞれ、請求項８から１６のいずれか１項に従って形成されており、
‐前記長手バー（６）の前記太さ（ｄ）は、前記ホルダリング（３から５）の前記凹部（７）の前記内法幅（ｗ）よりも大きく、
‐前記長手バー（６）は前記ホルダリング（３から５）の前記凹部（７）に圧入され、かつ該凹部（７）内に締付保持されている
支持ケージ。
【考案の詳細な説明】
【技術分野】
【０００１】
本願考案は、チューブフィルタの支持ケージのホルダリングであって、
‐ホルダリングは中心軸の周りに延伸し、
‐ホルダリングは、中心軸に関して半径方向外側にその周部にわたって分散された、半径方向外側に向かって開放されている複数の凹部を備え、
‐凹部は作用していない状態で、中心軸周りの周方向で見て内法幅を備え、
‐ホルダリングは少なくとも凹部の領域において柔軟に設けられているので、内法幅よりも大きい太さを備えかつ中心軸に対して平行に延在する長手バーが、半径方向外側から凹部に圧入可能であり、かつ圧入後は凹部内で締付保持されている
ホルダリングを出発点にしている。
【０００２】
本願考案はさらに、チューブフィルタの支持ケージの長手バーであって、
‐長手バーは、メイン延伸方向に長さにわたって延伸しており、
‐長手バーは、メイン延伸方向に対して横方向で見て太さを備え、
‐長手バーは、メイン延伸方向の方向で見てそれぞれ互いに距離を取るいくつかの中間接合箇所を備える
長手バーを出発点にしている。
【０００３】
本願考案はさらに、チューブフィルタの支持ケージであって、
‐支持ケージは、複数のホルダリングを備え、
‐ホルダリングの中心軸は、支持ケージの円筒軸と一致しており、
‐ホルダリングは、支持ケージの円筒軸の方向で見て、支持ケージの円筒軸に対して平行に延在する長手バーによって互いに距離を置いており、
‐ホルダリングは、上記のように形成されており、
‐長手バーは上記のように形成されている
支持ケージを出発点にしている。
【背景技術】
【０００４】
チューブフィルタは、埃を含むガスを浄化するために、産業設備においてかなり大規模に使用される。使用法の例は、製錬技術上のプロセスあるいはセメント製造のための設備である。チューブフィルタは通常、その上にフィルタチューブが通されている円筒状の支持ケージから成る。浄化されるガスは、正圧下で外部から、フィルタチューブに取り囲まれた円筒状の中空空間に吹き込まれ、あるいは負圧によって円筒状の中空空間に吸い込まれる。フィルタチューブの細孔サイズによって、埃は、フィルタチューブの外側に堆積する。支持ケージは、チューブフィルタに、必要な機械的安定性を与える。
【０００５】
チューブフィルタの支持ケージは、従来技術では、長手バーとホルダリングとの組み合わせから製造され、長手バーはホルダリングを介して束ねられる。長手バーとホルダリングは、従来技術では鋼から成り、工場で互いに溶接される。それからプレハブの支持ケージは、たとえばコンテナによって、次の使用場所に貨物輸送される。
【０００６】
従来技術の工程には、様々な欠点がある。それでたとえば、個々の支持ケージの完成には、比較的費用がかかる。さらに完成した支持ケージは、輸送時に通常別の利用ができないほどの大きな容量をとる。たとえばスタンダードな２０フィートのコンテナ（あるいは比較可能な別のコンテナ）が、プレハブの支持ケージで満たされると、コンテナには８５％から９９％の空気が含まれる。さらに完成には、比較的費用がかかる。特に溶接接合は、適した資格のある従業員つまり溶接工の訓練を受けた人員によって構築されなくてはならない。最後に、一度完成した支持ケージを、破壊することなく後で解体することは、もはや不可能である。支持ケージの長手バーあるいはホルダリングがたった１つだけ壊れたとしても、支持ケージ全体を交換しなくてはならない。
【０００７】
支持ケージを工場で製造するのではなく、半製品（長手バーとホルダリング）を使用場所に運び込み、そこで支持ケージの組み立てを行うことが考えられ得る。この工程は、輸送時の効率を大きく向上させるであろう。しかしながら支持ケージの組み立ては、設備の経営者あるいは支持ケージの供給者が行わなくてはならない。前者の場合には、完成品質の問題と保証についての問題とが出てくる。後者の場合には、支持ケージの材料だけでなく支持ケージを完成させる従業員も、常に使用場所に行かなくてはならない。その上使用場所での完成は、工場ほど効率的ではなく、かつ信頼してできるものではない。さらに依然として、溶接接合は、適した資格のある従業員によって構築されなくてはならず、一度完成した支持ケージを破壊することなく後で解体するのは、もはや不可能である。
【０００８】
特許文献１からは、冒頭で説明されたようなホルダ要素を備えるフィルタチューブの支持ケージ要素が知られている。比較できる開示内容は、特許文献２と特許文献３からも明らかである。
【先行技術文献】
【特許文献】
【０００９】
【特許文献１】欧州特許出願公開第１７８７７０１号明細書
【特許文献２】国際公開第０１／２６７７９号
【特許文献３】独国実用新案第８７０１９４３号明細書
【考案の概要】
【考案が解決しようとする課題】
【００１０】
本願考案の課題は、モジュール式に構成された支持ケージで、長手バーを容易な方法で回転不能に固定できる手段を提供することにある。
【課題を解決するための手段】
【００１１】
本課題は一方では、請求項１の特徴を有する、チューブフィルタの支持ケージのホルダリングによって解決される。ホルダリングの有利な形態は、従属請求項２から７の対象である。
【００１２】
本考案に従えば、冒頭で挙げられたようなホルダリングは、ホルダリングが、半径方向内側に開放されかつ中心軸周りの周方向で見て凹部と同じ箇所に設けられているＵ字形の受容部を、半径方向内側に備えることによって、作られる。
【００１３】
それによって、長手バーは少なくとも１つの端部がＵ字形に湾曲しているので、Ｕ字形に湾曲した端部が受容部に導入され得、そのような長手バーと併用して、長手バーが回転することと、さらに長手バーが中心軸の方向にずれることも防ぐ。
【００１４】
最もシンプルな場合には、ホルダリングは、狭義での１つのリングのみから、つまり中心軸の周囲を周回する１つのメイン構造から成る。メイン構造はたとえば、純粋に凸状の横断面たとえば正多角形、円形、楕円形あるいは長円形の形状をした横断面を備えるリングパッドとして形成されていてよい。メイン構造は、別の横断面形状たとえばＨ字形の横断面あるいは別の横断面を備えてよい。しかしながら好適には、ホルダリングは、そこから平らなウェブが半径方向外側に延伸する、中心軸の周囲を周回するメイン構造を備える。この形態によって、ホルダリングの軽量化とともに、同時にねじりに強く構成されて、良好な安定性がもたらされる。
【００１５】
凹部が半径方向内側に向かって延伸する半径方向の奥行は、必要に応じて決定されてよい。しかしながら好適には、凹部はメイン構造にではなく、もっぱら平らなウェブに設けられている。それによって、ホルダリングも支持ケージも全体として容易に完成される。
【００１６】
好適には平らなウェブは、その半径方向外側に、中心軸の方向に延伸する末端部を備えるので、ウェブは末端部を含めて、Ｌ字形あるいはＴ字形の横断面を備える。この形態によって、ホルダリングの安定性とねじり剛性とがさらに改善する。
【００１７】
さらに可能なのは、平らなウェブが凹部の領域において、中心軸の方向に延伸するそれぞれ１つの厚み部を備えることと、中心軸の方向での厚み部の長さが、凹部の内法幅よりも大きいことである。この形態によって、組み立てられた状態での支持ケージを、ねじりに強くすることができる。特に、それによって長手バーを、凹部内に定義された配向で保持できる。
【００１８】
好適にはホルダリングは、特にメイン構造から半径方向内側に向かって延伸しかつＵ字形の受容部をそれぞれ１つずつ含む平らな張出部を備える。
【００１９】
好適には、平らな張出部はその外側に、中心軸の方向に延伸する末端部を備えるので、張出部はその末端部を含めて、その外側の領域において、Ｌ字形あるいはＴ字形の横断面を備える。この形態によって、平らな張出部の安定性が改善する。
【００２０】
ホルダリングがセラミックスから成ることが可能である。ホルダリングが金属、特に鋼から成ることも可能である。しかしながら好適には、ホルダリングは少なくともその表面、好適にはすべてが、プラスチックから成る。ホルダリングの外表面がプラスチックから成ることにより、ホルダリングを凹部の領域において柔軟に形成できるようにするために必要な弾性が、問題なくもたらされる。さらに、ホルダリングが鋼から成りかつプラスチックでコーティングのみされている場合には、プラスチックのコーティングによって、腐食および／あるいは摩耗からの保護がもたらされる。ホルダリングがすべてプラスチックから成っていれば、ホルダリングは特に容易かつ安価な方法で、射出成形部品として製造できる。
【００２１】
使用目的によっては、ホルダリングが、周囲温度が標準的な場合（たとえば室内温度つまり約２０℃あるいは朝昼晩と季節によって変動する外気温度）にのみ安定している材料から成っていれば、充分である。しかしながら多くの場合、ホルダリングは、少なくとも１２０℃の永続的な耐温性がある材料から成るべきである。しばしばさらに高い永続的な耐温性、たとえば少なくとも１５０℃あるいは少なくとも１８０℃の耐温性も必要である。稀な場合にではあるが、さらに高い耐温性、たとえば２００℃まであるいは４５０℃までの耐温性が必要となることもある。適切な材料は、当業者に問題なく知られている。それは、鋼やセラミックスだけでなく、多くのプラスチックにも当てはまる。たとえば相当数のポリアミドは、１５０℃やそれを少し超える温度でもなお安定している。ポリアミドはしばしば、２００℃を超える耐温性を備え、部分的には４００℃までの耐温性も備える。
【００２２】
本課題は他方では、請求項８の特徴を有する、チューブフィルタの支持ケージの長手バーによって解決される。長手バーの有利な形態は、従属請求項９から１６の対象である。
【００２３】
本考案に従えば、冒頭で挙げられたような長手バーは、メイン延伸方向が垂直に配向している場合、それぞれの中間接合箇所のすぐ上部および／あるいはすぐ下部の領域において、長手バーは横断面がそれぞれ大きくなっているので、長手バーがそのそれぞれの中間接合箇所でメイン延伸方向に対して横方向に圧入されているそれぞれの中間ホルダリングが、メイン延伸方向で見て少なくとも片側で、ずれないように固定されていることによって、作られる。
【００２４】
通常長手バーの太さに対する長手バーの長さの比率は、少なくとも１対４００である。長手バーの太さに対する中間接合箇所の互いの距離の比率が、１対３０から１対８０、特に１対４０から１対７０であれば、有利であることが実証された。長手バーの一般的な太さが約４ｍｍであれば、これは約１２ｃｍから約３２ｃｍもしくは１６ｃｍから２８ｃｍの距離に相当する。
【００２５】
長手バーの有利な一形態において意図されているのは、長手バーが、メイン延伸方向に長手バーの長さにわたって延伸するメインセクションを備えることと、メイン延伸方向が垂直に配向している場合、長手バーはその下端部に、メインセクションとともに下部Ｕ字形の両腕部を形成する下部湾曲部を備えることである。それによって、下部Ｕ字形の領域に設けられている下部ホルダリングが、湾曲部によってずれなくなることが可能である。さらに、さらなる支持ケージを掛けることができる懸架部を、下部Ｕ字形の領域に設けることが可能である。下部ホルダリングの対応する形態ではさらに、長手バーの回転防止を実行することが可能である。当時の実験の後、下部湾曲部がメイン延伸方向の方向に、６ｃｍから１２ｃｍ特に８ｃｍから１０ｃｍの長さを備えていれば、有利であるように思われる。
【００２６】
長手バーの代替的な一形態において意図されているのは、
‐長手バーがメインセクションを備えることと、
‐メイン延伸方向が垂直に配向している場合、下部端末セクションがメインセクション下部に隣接することと、
‐下部端末セクションは、メインセクションに隣接する第１の下部部分セクションと長手バーの下端部を含む第２の下部部分セクションとその間にある第３の下部部分セクションとを含むことと、
‐第１の下部部分セクションは第１のカーブ方向に曲がっているので、下部端末セクションの接線がメイン延伸方向とともに形成する角度は、第１の下部部分セクションにおいて、場所が長手バーの下端部への方向に進むに伴って、ますます大きくなることと、
‐第３の下部部分セクションは第１のカーブ方向とは逆に曲がっているので、角度は第３の下部部分セクションにおいて、場所が長手バーの下端部への方向に進むに伴って、まずはますます小さくなり、それからゼロになって、それからますます大きくなることと、
‐第２の下部部分セクションは第１のカーブ方向に曲がっているので、角度は第２の下部部分セクションにおいて、場所が長手バーの下端部への方向に進むに伴って、まずはますます小さくなり、それからゼロになって、それからますます大きくなること
である。
【００２７】
同じように可能なのは、
‐長手バーがメインセクションを備えることと、
‐メイン延伸方向が垂直に配向している場合、上部端末セクションがメインセクション上部に隣接することと、
‐上部端末セクションは、メインセクションに隣接する第１の上部部分セクションと長手バーの上端部を含む第２の上部部分セクションとその間にある第３の上部部分セクションとを含むことと、
‐第１の上部部分セクションは第２のカーブ方向に曲がっているので、上部端末セクションの接線がメイン延伸方向とともに形成する角度は、第１の上部部分セクションにおいて、場所が長手バーの上端部への方向に進むに伴って、ますます大きくなることと、
‐第３の上部部分セクションは第２のカーブ方向とは逆に曲がっているので、角度は第３の上部部分セクションにおいて、場所が長手バーの上端部への方向に進むに伴って、まずはますます小さくなり、それからゼロになって、それからますます大きくなることと、
‐第２の上部部分セクションは第２のカーブ方向に曲がっているので、角度は第２の上部部分セクションにおいて、場所が長手バーの上端部への方向に進むに伴って、まずはますます小さくなり、それからゼロになって、それからますます大きくなること
である。
【００２８】
上部端末セクションは、支持ケージが組み立てられた状態で、その上に設けられた支持ケージの下部ホルダリングに半径方向内側で重なることができる。同じように下部端末セクションは、支持ケージが組み立てられた状態で、その下に設けられた支持ケージの上部ホルダリングに半径方向内側で重なることができる。複数の支持ケージ（あるいは対応して分割された支持ケージのセクション）を、それによって容易に、互いに接合できる。
【００２９】
好適には、メインセクションと下部湾曲部とを含む第１の平面で見て、あるいはメインセクションと下部端末セクションとを含む第１の平面で見て、上部端末セクションも第１の平面にある。
【００３０】
代替的に可能なのは、長手バーが、メイン延伸方向に長手バーの長さにわたって延伸するメインセクションを備えることと、メイン延伸方向が垂直に配向している場合、長手バーはその上端部に、メインセクションとともに上部Ｕ字形の両腕部を形成する上部湾曲部を備えることである。上部湾曲部は、たとえばメイン延伸方向の方向に、１ｃｍから３ｃｍ特に約２ｃｍの長さを備えてよい。代替的に上部湾曲部は、メイン延伸方向の方向に、６ｃｍから１２ｃｍ特に８ｃｍから１０ｃｍの長さを備えてよい。前者の形態の場合には、材料の需要は最小限に抑えられ、後者の形態の場合には、下部Ｕ字形と併用して長手バーは対称的な形体となる。
【００３１】
好適には、メインセクションと下部湾曲部とを含む第１の平面で見て、あるいはメインセクションと下部端末セクションとを含む第１の平面で見て、上部湾曲部も第１の平面にある。ここで特に可能なのは、第１の平面の内部においてかつメイン延伸方向に対して直角に見て、メインセクションは下部湾曲部あるいは下部端末セクションと上部湾曲部との間に設けられていることである。前者の場合には、長手バーは第１の平面で見て、いわゆるＳ字形に形成されている。下部湾曲部が、支持ケージのホルダリングとひいては支持ケージの対称軸に関して、半径方向内側を指している場合、上部湾曲部はそれによって、半径方向外側を指している。それによって可能なのは、支持ケージをフィルタハウジングの天井部あるいは中間底部の対応する受容部を通してガイドし、上部湾曲部によって天井部もしくは中間底部に密接させることである。この形態は、上部湾曲部が比較的短い場合に、特に有利である。
【００３２】
さらに有利なのは、
‐メインセクションが、メイン延伸方向で見て、上部湾曲部の領域において上部セクションを備え、それに隣接して中間セクションを備え、それに隣接して下部湾曲部まであるいは下部端末セクションまで延伸する下部セクションを備える場合と、
‐上部セクションと下部セクションとが、互いに同一線上に並んでいる場合と、
‐第１の平面の内部においてかつメイン延伸方向に対して直角に見て、上部セクションと下部セクションとが、上部湾曲部と中間セクションとの間に設けられている場合
である。
【００３３】
それによって、支持ケージをほんの少し持ち上げることが可能であり、その結果中間セクションは、天井部もしくは中間底部の受容部の領域に入り込む。これを行うと、フィルタチューブを支持ケージから外すことができる。それゆえフィルタチューブは、簡単に交換できる。
【００３４】
好適には、メイン延伸方向で見て、上部セクションは上部湾曲部よりも長さがある。しかし好適にはその長さは僅かで、中間接合箇所（すなわち中間接合箇所すべて）が下部セクションに設けられている。
【００３５】
さらに可能なのは、第１の平面の内部においてかつメインセクションから見て、下部湾曲部と上部湾曲部あるいは下部端末セクションと上部端末セクションが、同じ側に設けられていることである。この場合、特に上部湾曲部は下部湾曲部に対して対称的に形成され得、もしくは上部端末セクションは下部端末セクションに対して対称的に形成され得る。湾曲部の場合、長手バーはそれによって、第１の平面で見て、いわゆるＣ字形に形成されている。
【００３６】
多くの場合、第１の平面で見て、中間接合箇所のすぐ上部および／あるいはすぐ下部の領域においても、長手バーの横断面がこの領域の外側と同じであれば、有利になり得る。しかしながらこの場合、メインセクションを含みかつ第１の平面に対して直角に配向された第２の平面で見て、中間接合箇所のすぐ上部および／あるいはすぐ下部の領域において、長手バーは横断面がそれぞれ大きくなっている。この処置によって特に、（少なくとも）その凹部の領域で半径方向外側に、中心軸の方向に延伸する末端部を備えるホルダリングと併用して、長手バーが半径方向に凹部から離れるのを防止できる。この場合もちろん、中間接合箇所から中間接合箇所のすぐ上部および／あるいはすぐ下部の領域までの距離は、メイン延伸方向で見た末端部の長さに合わせなくてはならない。
【００３７】
使用目的によっては、長手バーが、周囲温度が標準的な場合（たとえば室内温度つまり約２０℃あるいは朝昼晩と季節によって変動する外気温度）にのみ安定している材料から成っていれば、充分である。しかしながら多くの場合、長手バーは、少なくとも１２０℃の永続的な耐温性がある材料から成るべきである。しばしばさらに高い永続的な耐温性、たとえば少なくとも１５０℃あるいは少なくとも１８０℃の耐温性も必要である。稀な場合にではあるが、さらに高い耐温性、たとえば２００℃まであるいは４５０℃までの耐温性が必要となることもある。適切な材料は、当業者に問題なく知られている。それは、長手バーにとって好ましい材料である鋼だけでなく、様々なセラミックスや多くのプラスチックにも当てはまる。たとえば相当数のポリアミドは、１５０℃やそれを少し超える温度でもなお安定している。ポリアミドはしばしば、２００℃を超える耐温性を備え、部分的には４００℃までの耐温性も備える。
【００３８】
本課題はさらに、請求項１７の特徴を有する支持ケージによって解決される。支持ケージの有利な形態は、以下において記述されている。
【００３９】
本考案に従えば、冒頭で挙げられたような支持ケージは、
‐ホルダリングをそれぞれ本考案に従って形成することと、
‐長手バーをそれぞれ本考案に従って形成することと、
‐長手バーの太さが、ホルダリングの凹部の内法幅よりも大きいことと、
‐長手バーがホルダリングの凹部に圧入され、かつ凹部内に締付保持されていること
とによって作られる。
【００４０】
好適には、最外部の両ホルダリングのうち少なくとも１つは、半径方向内側に開放されかつ円筒軸周りの周方向で見て対応するホルダリングの凹部と同じ箇所に設けられているＵ字形の受容部を、半径方向内側に備える。それによって、回転防止を容易に実現できる。
【００４１】
別のホルダリングは同様に、そのような受容部を備えてよい。しかしながら好適には、別のホルダリングは、そのような受容部を備えていない。
【００４２】
本考案の上述の特性と特徴と利点およびこれらを達成する方法は、図と併用してより詳細に説明される実施例の以下の記述に関連して、より明確かつはっきりと理解できる。ここで概略図で示されるのは以下である。
【図面の簡単な説明】
【００４３】
【図１】ホルダリングと長手バーとから成る、チューブフィルタの支持ケージである。
【図２】長手バーを有する上部ホルダリングの斜視図である。
【図３】図２の上部ホルダリングの上面図である。
【図４】図３の線ＩＶ−ＩＶに沿った、図２の上部ホルダリングの横断面図である。
【図５】半径方向外側からのホルダリングの部分図である。
【図６】上からの図５のホルダリングの部分図である。
【図７】長手バーを有する中間ホルダリングの斜視図である。
【図８】長手バーの可能な一形態である。
【図９】中間接合箇所である。
【図１０】下部湾曲部である。
【図１１】長手バーの下部端末セクションである。
【図１２】上部湾曲部である。
【図１３】さらなる上部湾曲部である。
【図１４】長手バーの上部端末セクションである。
【図１５】支持ケージの上部セクションである。
【図１６】長手バーの可能な代替的一形態である。
【図１７】垂直方向に分割された支持ケージのセクション間の移行領域である。
【図１８】垂直方向に分割された支持ケージのセクション間のさらなる移行領域である。
【考案を実施するための形態】
【００４４】
図１に従えば、チューブフィルタの支持ケージ１は、ほぼ円筒状の形状を備える。支持ケージ１は、支持ケージ１の円筒軸２の方向で見て、高さＨにわたって延伸する。支持ケージ１は、円筒軸２に対して直角に見て、直径Ｄを備える。高さＨは普通、１ｍから１０ｍたとえば５ｍから８ｍの範囲にある。多くの場合、支持ケージの高さＨは１０ｍより高く、たとえば１５ｍまである。直径Ｄは普通、１０ｃｍから２０ｃｍの範囲にある。円筒軸２は、チューブフィルタの使用時には通常、垂直に延在する。
【００４５】
以下において、軸方向、半径方向、接線方向という概念を用いる場合、これらの概念は常に、円筒軸２に関するものである。軸方向は、円筒軸２に対して平行である。半径方向は、軸方向に対して直角に、まっすぐ円筒軸２を向いているか、あるいは円筒軸２から離れた向きを向いている方向である。接線方向は、軸方向に対しても半径方向に対しても直角に延在する方向である。つまり接線方向は、軸位置が一定の場合でかつ半径方向の距離が一定の場合、円筒軸２の周囲を円形に向いている方向である。「接線方向」という言葉の代わりに、以下において部分的に「周方向」という言葉も用いられる。
【００４６】
支持ケージ１は、少なくとも１つの上部ホルダリング３と下部ホルダリング４とを備える。通常は、上部ホルダリング３と下部ホルダリング４との間の支持ケージ１の高さＨによっては、付加的に中間ホルダリング５が設けられている。しかしいずれの場合でも、上部ホルダリング３と下部ホルダリング４とが存在する。ホルダリング３から５は、円筒軸２の方向で見て、互いに距離を置いている。その距離は、長手バー６によってもたらされ、もしくは維持される。直接隣り合うホルダリング３から５の間の距離ａは通常、センチメートル単位の２桁の小さい数たとえば２０ｃｍから２５ｃｍである。長手バー６は、円筒軸２に対して平行に延在する。
【００４７】
長手バー６は多くの場合、高さＨの一部だけにわたって延伸する。この場合支持ケージ１は、円筒軸２の方向で見て、複数のセクションに分割されている。本願考案の対象はむしろ、円筒軸２の方向に分割されない支持ケージ１もしくは円筒軸２の方向にさらに分割されないそのような個々のセクションである。補足として後に、円筒軸２の方向に分割されない支持ケージ１もしくは円筒軸２の方向にさらに分割されないそのような個々のセクションを説明した後で、垂直方向に分割される支持ケージ１の２つのセクションの接合についても言及される。
【００４８】
以下において、図２から図４までと併用して、まずは上部ホルダリング３がより詳細に説明される。しかしながら上部ホルダリング３の実施形態は、以下においてはっきりと相違が指摘されていない限り、同様に下部ホルダリング４と中間ホルダリング５にも当てはまる。
【００４９】
上部ホルダリング３は、中心軸を備える。上部ホルダリング３の中心軸は、支持ケージ１の円筒軸２と同一であり、つまり円筒軸２と一致する。それゆえ以下において、同じ参照符号２が用いられる。
【００５０】
上部ホルダリング３は、図１と図３に従えば、中心軸２の周りに延伸する。上部ホルダリング３はその半径方向外側に、その周部にわたって分散された、複数の凹部７を備える。凹部７の数は、必要に応じて決定されてよい。通常その数は４から２０であり、大抵は６から１２である。凹部７は、半径方向外側に向かって開放されている。凹部７は作用していない状態で、つまり外部の力が上部ホルダリング３に作用していない場合、接線方向に内法幅ｗを備える。内法幅ｗは通常、ミリメートル単位の１桁の数たとえば３ｍｍから６ｍｍ特に約４ｍｍから約５ｍｍである。
【００５１】
上部ホルダリング３は、少なくとも凹部７の領域において柔軟に（弾性に）形成されている。これは図３において、矢印８で示唆されている。弾性はたとえば、バネ要素（図示されず）によってもたらされてよい。しかしながら好適には、上部ホルダリング３は、少なくともその表面好適にはすべてが、プラスチックから成る。この場合上部ホルダリング３は、すでにその比較的柔らかい材料ゆえにある程度の弾性を備える。しかしながら、上部ホルダリング３が金属から成るかあるいはプラスチックから成るか、またはプラスチックでコーティングされている中心部分が金属製かに関係なく、上部ホルダリング３は、少なくとも１２０℃より良好には少なくとも１５０℃特に少なくとも１８０℃の永続的な耐温性がある材料から成ってよい。プラスチックでもあるそのような材料は、当業者に問題なく知られている。
【００５２】
長手バー６は通常、鋼から成る。多くの場合長手バーは、別の材料たとえばプラスチックあるいはセラミックスから成ってよい。長手バー６は場合によっては、プラスチックでコーティングされていてよい。長手バー６は、太さｄを備える。長手バー６の太さｄは、たとえほんの僅かであっても、内法幅ｗよりも大きい。たとえば長手バー６の太さｄは、内法幅ｗよりも１％から１０％大きくてよい。しかしそれにもかかわらず、上部ホルダリング３の柔軟性ゆえに、長手バー６を半径方向外側から手で（つまり工具やてこの作用を用いることなしに）凹部７に圧入することが可能である。このことは図３において、凹部７の１つと付属の長手バー６について、矢印８’によって示唆されている。長手バー６が凹部７に圧入された後、長手バー６は、上部ホルダリング３の弾性ゆえに、凹部７内に締付保持されている。その他については、長手バー６は後に、ホルダリング３から５の説明が完了した後で、説明される。
【００５３】
図２と図４の描写に対応して、上部ホルダリング３は、メイン構造９を備える。メイン構造９は、中心軸２の周囲を周回する。メイン構造９は、図２と図４の描写に対応して、純粋に凸状の横断面たとえば図４の描写に対応して円形の横断面を備えるリングパッドとして形成されている。リングパッド９の直径は通常、ミリメートル単位の１桁の大きい数たとえば５．５ｍｍから９．０ｍｍである。しかしメイン構造９は、別の横断面たとえばＨ字形（純粋に例示的な図１５参照）を備えてもよいであろう。この場合、つまりメイン構造９が別の横断面を備える場合、メイン構造９は、半径方向にも軸方向にも延伸部を備え、当該延伸部は通常、ミリメートル単位の１桁の大きい数（ケースバイケースでわずかにそれを上回る）である。メイン構造９から、平らなウェブ１０が半径方向外側に向かって延伸する。半径方向でのウェブ１０の長さｌは好適には、少なくとも内法幅ｗと同じになるように、見積もられる。それによって、凹部７がメイン構造９にではなく、もっぱら平らなウェブ１０に設けられていることが可能になる。通常ウェブ１０の長さｌはさらに、内法幅ｗよりも最大２０％大きくなるように見積もられている。つまりウェブ１０の長さｌは通常、ウェブ１０は、半径方向で見て長手バー６を完全に受容できるのに充分な長さがあるが、それ以上長くはないように、選択される。図２と図４の描写に対応して、平らなウェブ１０はさらに、その半径方向外側に、末端部１１を備える。末端部１１は、軸方向に延伸する。末端部１１の高さｈは通常、長さｌよりもわずかに小さい。たとえば高さｈは、長さｌの５０％から９０％であってよい。
【００５４】
図２と図４に従えば、末端部１１は、平らなウェブ１０から見て軸方向に、上方へも下方へも延伸している。それゆえ末端部１１によって、平らなウェブ１０が末端部１１を含めてＴ字形の横断面を備えることになる。代替的に末端部１１は、上方だけあるいは下方だけに延伸してもよいであろう。この場合平らなウェブ１０は、末端部１１を含めてＬ字形の横断面を備えるであろう。
【００５５】
図２と図３に従えば、上部ホルダリング３はさらに、受容部１２を備える。受容部１２は、上部ホルダリング３の内側つまり半径方向内側に設けられている。受容部１２はＵ字形に形成されており、半径方向内側に向かって開放されている。明らかに、受容部１２は凹部７と１対１で対応している。特に受容部１２は、接線方向で見て、凹部７と同じ箇所に設けられている。それによって特に図２の描写に対応して可能なのは、長手バー６の端部をＵ字形に湾曲させ、湾曲した端部を受容部１２に導入することである。それによって受容部１２は、長手バー６の湾曲した端部と併用して、長手バー６が意図せず回転することも、長手バー６が意図せず軸方向にずれることも防止する。これについても後に、長手バー６の説明が完了した後で、再度詳述される。
【００５６】
受容部１２は、凹部７と同じように、メイン構造９の内側に周回するウェブ内に入れられていてよい。この場合周回するウェブは、寸法が適切であれば、半径方向および／あるいは軸方向で、上部ホルダリング３の安定性を高めることができる。しかしながら好適には、上部ホルダリング３は、半径方向内側に向かって延伸する個々の平らな張出部１３を備える。張出部１３は、接線方向で見て、それぞれの凹部７の領域においてそれぞれ局所的にのみ延伸し、Ｕ字形の受容部１２をそれぞれ１つずつ含む。
【００５７】
安定性の理由から、平らな張出部１３は、ウェブ１０の末端部１１と同じように、軸方向に延伸する自らの末端部１４を備える。それによって末端部１４を含む張出部１３は、その外側の領域において、Ｌ字形あるいはＴ字形の横断面を備える。
【００５８】
これまで説明された限りでは、ウェブ１０は、一貫して平らに形成されている。しかしながら長手バー６をより良好にガイドするために、平らなウェブ１０が凹部７の領域において、中心軸２の方向に延伸するそれぞれ１つの厚み部１０’を備えれば、有利になり得る。このことは、凹部７の１つについて、図５と図６に表わされている。厚み部１０’は、中心軸２の方向で見て、長さｌ’を備える。長さｌ’は通常、凹部７の内法幅ｗよりも大きい。長さｌ’はたとえば、８ｍｍから２０ｍｍ特に１０ｍｍから１５ｍｍの範囲であってよい。
【００５９】
すでに言及されたように、上部ホルダリング３の実施形態は、図７の描写に対応して、中間ホルダリング５にも当てはまる。しかしながら受容部１２と、これに関して構成される形態つまり張出部１３とその末端部１４との存在とに関する限り、この形態は、中間ホルダリング５にはなくてよい。しかしながらこれは、必ずしも必要なことではない。
【００６０】
同様にすでに言及されたように、上部ホルダリング３の実施形態は、さらに同様に下部ホルダリング４にも当てはまる。受容部１２とこれに関して構成される形態とに関する限り、この形態は、下部ホルダリング４にもなくてよい。しかしながらこれも、必ずしも必要なことではない。さらに可能なのは、下部ホルダリング４だけに、受容部とこれに関して構成される形態とが実現されており、上部ホルダリング３では実現されていないということである。
【００６１】
ホルダリング３から５の後に、以下において、長手バー６がより詳細される。ここで想定されるのは、長手バー６はその後の使用に対応して、垂直方向に配向していることである。それゆえ長手バー６のメイン延伸方向は、円筒軸２に対して平行に延在する。それに対応して、以下において「上部」や「下部」のような概念も用いられ、この主旨において理解され得る。さらに、円筒軸２の方向で見て分割されていない１つの支持ケージ１だけをまず第１に考察するという状況に基づいて、高さＨは長手バー６の長さと同一であるので、以下において長手バー６の長さにも同様に参照符号Ｈが用いられる。さらに上記においてすでに、可能な材料と長手バー６の太さｄとが言及された。それゆえ、上記の対応する実施形態を参照するよう、指示する。
【００６２】
長手バー６の太さｄに対する長手バー６の長さＨの比率は通常、少なくとも１対４００である。たとえば典型的な長さが２．２５ｍから２．７ｍであり、典型的な太さが約４．５ｍｍであれば、比率は１対５００から１対６００である。しかしながら原則的には、別の比率も可能である。
【００６３】
長手バー６は、図８の描写に対応して、いくつかの中間接合箇所１５を備える。中間接合箇所１５は、軸方向で見て（つまり円筒軸２の方向で見て）、長手バー６の長さＨにわたって分散している。中間接合箇所１５は、軸方向で見て、互いに距離を取っている。その距離は通常、直接隣り合うホルダリング３から５の間の距離ａに相当する。それゆえ以下において、中間接合箇所１５の互いの距離にも、参照符号ａが用いられる。長手バー６の太さｄに対する中間接合箇所１５の互いの距離ａの比率は通常、１対３０から１対８０、特に１対４０から１対７０である。典型的な太さが約４．５ｍｍであり、典型的な距離ａが２０ｃｍから２５ｃｍであれば、比率はたとえば１対４５から１対５５である。しかしながら原則的には、別の比率も可能である。
【００６４】
中間接合箇所１５は通常、互いに同じように形成されている。図９は、中間接合箇所１５の１つを示している。図９で説明される中間接合箇所１５の実施形態は、別の中間接合箇所１５にも当てはまる。
【００６５】
図９に従えば、長手バー６は表わされた中間接合箇所１５の間の領域において、太さｄによって定義された標準的な横断面を備える。表わされた中間接合箇所１５の領域自体においても、長手バー６は、この横断面を備える。これに対して、表わされた中間接合箇所１５のすぐ下部の領域１５’において、長手バー６は横断面が大きくなっている。特に、長手バー６は領域１５’において、周回する厚み部を備えてよい。長手バー６は、図９の描写に対応して、突起部１６あるいは周部の一部のみにわたって延伸する似たような突出部を備えてもよい。好適にはこの場合、向かい合う側に同じような突起部１６もしくは同じような突出部がある。突起部１６は、たとえば図７でも認識可能である。
【００６６】
表わされた中間接合箇所１５の下部にある大きくなった横断面に対して代替的にあるいは付加的に、表わされた中間接合箇所１５のすぐ上部の領域１５”において、長手バーは同様に横断面が大きくなっていてよい。ここでも大きくなった横断面は、周回する厚み部によってあるいは図９の描写に対応して、突起部１７あるいは似たような突出部を備えてよく、突起部１７あるいは突出部の場合には好適には、向かい合う側に同じような突起部１７もしくは同じような突出部がある。
【００６７】
表わされた中間接合箇所１５のすぐ下部および／あるいはすぐ上部で横断面が大きくなっていることによって達成されるのは、この接合箇所１５を有する長手バー６が、中間ホルダリング５の対応する凹部７内に半径方向外側から圧入されていれば、中間ホルダリング５が軸方向にずれるのが防止されるように、もしくはずれないように固定されることである。下部領域１５’で横断面が大きくなっていれば、対応する中間ホルダリング５が下方にずれるのが防止され、上部領域１５”で横断面が大きくなっていれば、上方にずれるのが防止される。
【００６８】
中間接合箇所１５のすぐ上部でもすぐ下部でも、長手バー６の横断面がそれぞれ大きくなっていれば、領域１５’、１５”の距離（もしくはこれと対応して中間接合箇所１５の長手延伸）は、領域１５’、１５”の距離が少なくとも末端部１１の高さｈもしくは、厚み部１０’がある場合には、厚み部１０’の長さｌ’に相当するような大きさである。
【００６９】
大きくなった横断面が、中間接合箇所１５から中間接合箇所１５まで延伸することも、代替的に可能である。この場合長手バー６は、たとえば中間接合箇所１５の領域において、リング溝などを備えてよい。
【００７０】
長手バー６はさらに、メインセクション１８を備える。図８に従った形態において、メインセクション１８は、長手バー６の全長Ｈにわたって延伸する。長手バー６はその下端部に、さらに下部湾曲部１９を備える。下部湾曲部１９は、まず第１に長手バー６の長さがさらに大きなものであって（つまり長さがＨよりも大きい）、かつ張り出した領域を曲げることで下部湾曲部１９が作られて、もたらされた。曲げ半径Ｒは、図１０の描写に対応して通常、太さｄよりも大きいが、太さｄの２倍よりも小さい。それによって下部湾曲部１９は、メインセクション１８とともに、以下において下部Ｕ字形と呼ばれるＵ字形の両腕部を形成する。円筒軸２の方向での下部湾曲部１９の長さｌｕ１は、必要に応じて決定されていてよい。実験においては、下部湾曲部１９の長さｌｕ１は、６ｃｍから１２ｃｍ特に８ｃｍから１０ｃｍであれば有利であることが実証された。
【００７１】
下部湾曲部１９の領域において通常、下部接合箇所が設けられている。下部接合箇所は、中間接合箇所１５と同じ機能を有する。しかしながら下部接合箇所の領域においては、長手バー６は、下部ホルダリング４に圧入されている。長手バー６が下部接合箇所の領域において、中間接合箇所１５と同じように、軸方向に直接隣接する領域で、横断面がそれぞれ大きくなっていることが可能である。この場合下部ホルダリング４は、下部湾曲部１９のための半径方向内側に設けられた受容部１２を備えない。代替的に、つまり下部ホルダリング４が、長手バー６の下部湾曲部１９のための半径方向内側に設けられた受容部１２を備える場合には、長手バー６は、少なくとも下部接合箇所のすぐ上部の領域において、均一な横断面を備えていなくてはならない。それによって、下部湾曲部１９が上方に延伸する領域の外側で、下部ホルダリング４を長手バー６と接合させ、それから下部ホルダリング４を下方にずらすことが可能である。
【００７２】
下部湾曲部１９が存在する代わりに、下部端末セクション１９ａがメインセクション１８に隣接していてよい。下部端末セクション１９ａはこの場合、図１１の描写に対応して、第１の下部部分セクション１９ａ１と第２の下部部分セクション１９ａ２と第３の下部部分セクション１９ａ３とを備える。第１の下部部分セクション１９ａ１は、メインセクション１８に隣接している。第２の下部部分セクション１９ａ２は、長手バー６の下端部を含む。第１の下部部分セクション１９ａ１と第２の下部部分セクション１９ａ２との間には、第３の下部部分セクション１９ａ３がある。図１１から明らかなように、メインセクション１８は少なくともその下部領域においては一直線であり、つまりそこではメイン延伸方向に延在する。これに対して第１の下部部分セクション１９ａ１は、第１のカーブ方向に曲がっている。それによって、下部端末セクション１９ａの接線１９ａ４がメイン延伸方向とともに形成する角度αは、第１の下部部分セクション１９ａ１において、接線１９ａ４が形成される場所が長手バー６の下端部へ進めば進むほど、ますます大きくなる。第３の下部部分セクション１９ａ３は、逆に曲がっている。角度αは第３の下部部分セクション１９ａ３において、場所が長手バー６の下端部への方向に進むに伴って、それでまずは再び小さくなり、それからゼロの値を通過して（すなわち、接線１９ａ４がこの場所で、メイン延伸方向に対して平行に延在する）、それから再び大きくなる。第２の下部部分セクション１９ａ２はそれから、再び第１のカーブ方向に曲がっている。それによって角度αは、場所が長手バー６の下端部への方向に進むに伴って、改めて再びますます小さくなり、それからゼロになって、それから再びますます大きくなる。その際カーブは、特に第１の下部部分セクション１９ａ１と第３の下部部分セクション１９ａ３とにおいて比較的大きくてよいが、第２の下部部分セクション１９ａ２においては、好適には比較的小さい。
【００７３】
しばしば長手バー６は、その上端部に湾曲部２０を備え、以下においては下部湾曲部１９と区別するために上部湾曲部２０と呼ばれる。上部湾曲部２０は、下部湾曲部１９と同じように、まず第１に長手バー６の長さがさらに大きなものであって（つまり長さがＨよりも大きい）、かつ張り出した領域を曲げることで上部湾曲部２０が作られて、もたらされた。曲げ半径Ｒ’は、図１２と図１３の描写に対応して通常、太さｄよりも大きいが、太さｄの２倍よりも小さい。それによって上部湾曲部２０は、メインセクション１８とともに、以下において下部Ｕ字形と区別するために上部Ｕ字形と呼ばれるＵ字形の両腕部を形成する。円筒軸２の方向での上部湾曲部２０の長さｌｕ２は、必要に応じて決定されていてよい。実験においては、図１２の描写に対応して、１ｃｍから３ｃｍ特に約２ｃｍであるか、あるいは図１３の描写に対応して、６ｃｍから１２ｃｍ特に８ｃｍから１０ｃｍである下部湾曲部１９の長さｌｕ１が、有利であることが実証された。
【００７４】
上部湾曲部２０が存在する代わりに、上部端末セクション２０ａがメインセクション１８に隣接していてよい。上部端末セクション２０ａはこの場合、図１４の描写に対応して、第１の上部部分セクション２０ａ１と第２の上部部分セクション２０ａ２と第３の上部部分セクション２０ａ３とを備える。第１の上部部分セクション２０ａ１は、メインセクション１８に隣接している。第２の上部部分セクション２０ａ２は、長手バー６の上端部を含む。第１の上部部分セクション２０ａ１と第２の上部部分セクション２０ａ２との間には、第３の上部部分セクション２０ａ３がある。図１４から明らかなように、メインセクション１８は少なくともその上部領域においては一直線であり、つまりそこではメイン延伸方向に延在する。これに対して第１の上部部分セクション２０ａ１は、第２のカーブ方向に曲がっている。それによって、上部端末セクション２０ａの接線２０ａ４がメイン延伸方向とともに形成する角度βは、第１の上部部分セクション２０ａ１において、接線２０ａ４が形成される場所が長手バー６の上端部へ進めば進むほど、ますます大きくなる。第３の上部部分セクション２０ａ３は、逆に曲がっている。角度βは第３の上部部分セクション２０ａ３において、場所が長手バー６の上端部への方向に進むに伴って、それでまずは再び小さくなり、それからゼロの値を通過して（すなわち、接線２０ａ４がこの場所で、メイン延伸方向に対して平行に延在する）、それから再び大きくなる。第２の上部部分セクション２０ａ２はそれから、再び第２のカーブ方向に曲がっている。それによって角度βは、場所が長手バー６の上端部への方向に進むに伴って、改めて再びますます小さくなり、それからゼロになって、それから再びますます大きくなる。その際カーブは、特に第１の上部部分セクション２０ａ１と第３の上部部分セクション２０ａ３とにおいて比較的大きくてよいが、第２の上部部分セクション２０ａ２においては、好適には比較的小さい。具体的には、上部端末セクション２０ａは特に、その機能上の形態に関してだけでなく、その寸法に関しても、下部端末セクション１９ａと同じように形成されていてよい。
【００７５】
長手バー６の下端部領域と上端部領域の形態を組み合わせることに関して、可能な形態は、下部湾曲部１９を上部湾曲部２０と組み合わせることにある。ここで上部湾曲部２０は代替的に、長い上部湾曲部２０（長さｌｕ２は８ｃｍから１２ｃｍ）あるいは短い上部湾曲部２０（長さｌｕ２は１ｃｍから３ｃｍ）として形成されていてよい。さらなる可能な形態は、下部端末セクション１９ａを上部端末セクション２０ａと組み合わせることにある。最後に、可能な組み合わせは、下部端末セクション１９ａを短い上部湾曲部２０と組み合わせることにある。
【００７６】
通常メインセクション１８に加えて、下部湾曲部１９か下部端末セクション１９ａのどちらかが存在する。メインセクション１８はそれによって、下部湾曲部１９あるいは下部端末セクション１９ａとともに、第１の平面を定義する。通常図８の描写に対応して、第１の平面には、上部湾曲部２０もしくは上部端末セクション２０ａがある。
【００７７】
図８の描写に対応して可能なのは、第１の平面の内部においてかつメイン延伸方向に対して直角に見て、メインセクション１８は下部湾曲部１９と上部湾曲部２０との間に設けられていることである。メインセクション１８に対する下部湾曲部１９の変位がＶ１で、メインセクション１８に対する上部湾曲部２０の変位がＶ２で表示されているならば、図８の形態の場合には、変位Ｖ１、Ｖ２はつまり、メイン延伸方向に対して直角に配向されており、かつ逆方向に向いている。この場合長手バー６（つまりメインセクション１８と両湾曲部１９、２０との総体）は、それによってＳ字形に形成されている。この形態は特に、短い上部湾曲部２０（ｌｕ２は１ｃｍから３ｃｍ）との併用で有効となり得る。特にこの場合、さらに有効となり得るのは、上部ホルダリング３ではなく下部ホルダリング４が、半径方向内側の受容部１２を備えることである。上部ホルダリング３は、任意で半径方向内側に設けられた受容部１２を備えても、あるいは備えなくてもよい。
【００７８】
下部端末セクション１９ａの変位は通常、＋−で、下部湾曲部１９の変位Ｖ１に対応する。それゆえこの場合、同じようにメインセクション１８は、下部端末セクション１９ａと上部湾曲部２０との間に設けられている。
【００７９】
支持ケージ１が組み立てられた状態で、短い上部湾曲部２０は、円筒軸２に関して通常半径方向外側を指している。それゆえこの場合、図１５の描写に対応して、特に可能なのは、組み立てられた支持ケージ１を上部湾曲部２０で、フィルタハウジングの天井部２１あるいは中間底部に載置することであり、その結果支持ケージ１は、天井部２１もしくは中間底部を通って、下方へフィルタハウジング内に突き出る。この場合フィルタチューブ自体は（図１１には図示されず）、天井部２１もしくは中間底部に当接する長手バー６の上部湾曲部２０によって、保持される。
【００８０】
長手バー６が半径方向外側に向いた短い上部湾曲部２０を有する形態の場合、長手バー６はさらに好適には、以下のように形成されている。すなわち、メインセクション１８は、メイン延伸方向で見て、上部湾曲部２０の領域において上部セクション２２を備える。それに隣接して、メインセクション１８は中間セクション２３を備える。中間セクション２３にも、下部湾曲部１９までもしくは下部端末セクション１９ａまで延伸する下部セクション２４が隣接する。上部セクション２２と下部セクション２４とは、互いに同一線上に並んでいる。つまりこれらのセクションの長手軸は、互いに同一である。中間セクション２３は同様に、長手軸を備える。中間セクション２３の長手軸は、上部セクション２２と下部セクション２４の長手軸に対して平行である。しかし中間セクション２３の長手軸は、上部セクション２２と下部セクション２４の長手軸と同一線上に並んでおらず、第１の平面の内部で見て、これらの長手軸に対してずれている。中間セクション２３に対する上部セクション２２と下部セクション２４の変位Ｖ３はそれによって、メイン延伸方向に対して直角に配向されており、変位Ｖ１と同じ方向を向いている。この方向は、支持ケージ１が組み立てられた状態で、半径方向内側に向いている。変位Ｖ３は特に、太さｄの２倍から３倍、つまり典型的な太さｄが４ｍｍであれば８ｍｍから１２ｍｍであってよい。変位Ｖ３を実現するために、上部セクション２２から中間セクション２３への移行領域もしくは中間セクション２３から下部セクション２４への移行領域において、それぞれ１つの比較的短い屈曲セクション２５が存在してよい。屈曲セクション２５の長さはそれぞれ、数センチメートルだけである（通常は最大３ｃｍ）。
【００８１】
上部セクション２２は通常、比較的小さい長さｌｏを備える。上部セクション２２の長さｌｏは、たとえば５ｃｍから８ｃｍの範囲にあってよい。しかしながら長さｌｏは、上部湾曲部２０の長さｌｕ２よりも大きくなくてはならない。中間セクション２３は通常、同様に比較的小さい長さｌｍを備える。長さｌｍは、場合によっては屈曲セクション２５を含めて、たとえば８ｃｍから２０ｃｍの範囲にあってよい。この形態によって可能なのは、中間接合箇所１５（つまり中間接合箇所１５すべて）が、下部セクション２４に設けられていることである。
【００８２】
変位Ｖ３によって、支持ケージ１をわずかに持ち上げることが可能になる（つまり、中間セクション２３が天井部２１もしくは中間底部の領域にあるようになるまで）。これが行われると、天井部２１もしくは中間底部までの長手バー６の半径方向の距離が大きくなって、フィルタチューブが下に落ちる。それゆえ、新しいフィルタチューブを張るために、消耗した古いフィルタチューブなしに支持ケージ１を、フィルタハウジングから上方に抜き取ることができる。
【００８３】
代替的に、図１６の描写に対応して可能なのは、第１の平面の内部においてかつメインセクション１８から見て、下部湾曲部１９と上部湾曲部２０とは、同じ側に設けられていることである。変位Ｖ１、Ｖ２はそれによって、メイン延伸方向に対して直角に配向されているが、同じ方向を向いている。この形態は特に、長い上部湾曲部２０（ｌｕ２は８ｃｍから１２ｃｍ）との併用で有効となり得る。この場合長手バー６の形態は、対称的でＣ字形になる。
【００８４】
長手バー６が湾曲部１９、２０ではなく、端末セクション１９ａ、１９ｂを備える場合、第１の平面の内部においてかつメインセクション１８から見て、同じように端末セクション１９ａ、１９ｂは同じ側に設けられている。この場合でも、長手バー６の形態は、対称的になる。
【００８５】
長手バー６の形態が対称的な場合、メインセクション１８はさらに好適には、一貫して形成されており、つまりメインセクション１８はさらなる湾曲部などを備えておらず、単に中間接合箇所１５のすぐ上部および／あるいはすぐ下部の領域においてのみ、それぞれの横断面が大きくなっている。
【００８６】
長手バー６の材料は、（少なくとも）ホルダリング３から５と同じ永続的な耐温性を備えるように、選択されているべきである。それゆえ使用目的によっては、周囲温度が標準的な場合、あるいは少なくとも１２０℃の場合、あるいはより高温たとえば少なくとも１５０℃または少なくとも１８０℃の場合での、永続的な耐温性が必要とされてよい。長手バー６に適切な材料は、当業者に問題なく知られている。それは、長手バー６にとって好ましい材料である鋼だけでなく、少なくとも鋼に当てはまる。
【００８７】
それぞれの中間接合箇所１５のすぐ上部および／あるいはすぐ下部の拡大した横断面が、長手バー６の周囲を周回しておらず、突起部１６、１７などとしてのみ形成されているならば、長手バー６は言及された第１の平面で、好適には中間接合箇所１５のすぐ上部および／あるいはすぐ下部の領域１５’、１５”においても、この領域１５’、１５”の外側と同じ横断面を備える。しかしながら長手バー６はこの場合、中間接合箇所１５のすぐ上部および／あるいはすぐ下部の挙げられた領域１５’、１５”において、第２の平面でそれぞれ１つの横断面が大きくなっている。第２の平面は、第１の平面に対して直角に配向されており、第１の平面と同様にメインセクション１８を含む。それによって達成されるのは、支持ケージ１が組み立てられた状態で、突起部１６、１７などが、円筒軸２に関して接線方向にホルダリング３から５の凹部７と並んで設けられていることである（図７参照）。この領域において突起部１６、１７などは、ホルダリング３から５のウェブ１０の末端部１１と協働するので、これらの突起部１６、１７などは、長手バー６が凹部７から半径方向に離れるのを防ぐ。
【００８８】
支持ケージ１が組み立てられた状態で、中間接合箇所１５の領域に、中間ホルダリング５が設けられている。最上部の中間接合箇所１５の上と最下部の中間接合箇所の下、特に上部湾曲部２０と下部湾曲部１９の領域に、さらに１つの上部ホルダリング３と１つの下部ホルダリング４とが設けられていてよい。中間接合箇所１５についての上記の実施形態は、これらの両接合箇所にも同じように当てはまる。しかしながら場合によっては、上部接合箇所と下部接合箇所は、片側だけ横断面が拡大しているか、あるいは場合によればどの側でも横断面が拡大していない。
【００８９】
もし支持ケージ１が、円筒軸２の方向で見て互いに重なり合って設けられている複数のセクションから成っているならば、各セクションは、上で説明されたように形成されていてよい。最上部セクションは好適には、支持ケージ１が組み立てられた状態で半径方向外側を指す短い上部湾曲部２０を備える（図１５の実施形態を参照）。別のセクションは好適には、半径方向内側を向いた２つの湾曲部１９、２０を有していようとも、半径方向内側にずれた２つの端末セクション１９ａ、２０ａを有していようとも、対称的に形成された長手バー６を備える。最上部セクションの長手バー６はさらに、その下端部が別のセクションと同じように形成されている。支持ケージ１の上部セクション（以下においては、セクションＡ）を、その下に設けられた支持ケージ１のセクション（以下においては、セクションＢ）と接合するために、以下のような措置が取られてよい。
【００９０】
長手バー６が、半径方向内側に向いた湾曲部１９、２０を備える場合、セクションＡの下部Ｕ字形とセクションＢの上部Ｕ字形は、図１７の描写に対応して、軸方向に重なり合う。重なり合う領域に、少なくとも１つの接合要素２６が導入される。接合要素２６は、リングとして形成されていてよい。接合要素２６は、セクションＡの下部Ｕ字形とセクションＢの上部Ｕ字形とをそれぞれ１つずつ互いに接合する複数の個別要素から成っていてもよい。別の形態たとえば、個別要素ごとにセクションＡの下部Ｕ字形とセクションＢの上部Ｕ字形とがそれぞれ２つずつ互いに接合される形態も、可能である。
【００９１】
長手バー６が、半径方向内側に向いた端末セクション１９ａ、２０ａを備える場合、端末セクション１９ａ、２０ａはバネ要素として作用する。セクションＡの長手バー６の第２の下部部分セクション１９ａ２は、セクションＡとセクションＢとを差し込んで１つにする場合、半径方向内側にセクションＢの上部ホルダリング３をスライドする。同じように、セクションＢの長手バー６の第２の上部部分セクション２０ａ２は、セクションＡとセクションＢとを差し込んで１つにする場合、半径方向内側にセクションＡの下部ホルダリング４をスライドする。長手バー６のバネのような柔軟性は、問題なく適切なやり方で固定され得る。セクションＡとセクションＢとを差し込んで１つにした後、セクションＢの上部ホルダリング３は、図１８の描写に対応して、第３の下部部分セクション１９ａ３から形成されるくびれ部にある。同じようにこの状態においては、セクションＡの下部ホルダリング４は、第３の上部部分セクション２０ａ３から形成されるくびれ部にある。しかしながらここでも再び、別の形態が考えられ得る。
【００９２】
本願考案は、多くの利点を備える。特に、簡単かつ安価な方法で支持ケージ１を省スペースで輸送することも、簡単かつ迅速な方法で支持ケージ１を現場で組み立てることも可能である。組立には、溶接工の資格のある従業員は必要ない。支持ケージ１を完成させるのに必要な半製品、つまりホルダリング３から５と長手バー６は、省スペースに保管され、輸送できる。さらに、支持ケージ１の個々の要素３から６は、問題なく簡単な方法で、破壊することなく交換可能である。
【００９３】
本考案は細部で、好ましい実施例によってより詳しく解説されかつ記述されたが、本考案は、開示された例によって限定されるものではなく、別のバリエーションが当業者によって、本考案から引き出されてよいが、本考案の保護範囲から外れてはならない。
【符号の説明】
【００９４】
１  支持ケージ
２  円筒軸
３、４、５  ホルダリング
６  長手バー
７  凹部
８、８’  矢印
９  メイン構造
１０  ウェブ
１０’  厚み部
１１、１４  末端部
１２  受容部
１３  張出部
１５  接合箇所
１５’、１５”  領域
１６、１７  突起部
１８  メインセクション
１９、２０  湾曲部
１９ａ、２０ａ  端末セクション
１９ａ１、２０ａ１  部分セクション
１９ａ２、２０ａ２  部分セクション
１９ａ３、２０ａ３  部分セクション
１９ａ４、２０ａ４  接線
２１  天井部
２２から２５  セクション
２６  接合要素
ａ  距離
ｄ  太さ
Ｄ  直径
Ｈ  高さ／長さ
ｌ、ｌ’、ｌｏ、ｌｍ  長さ
ｌｕ１、ｌｕ２  長さ
Ｒ、Ｒ’  曲げ半径
Ｖ１、Ｖ２、Ｖ３  変位
ｗ  内法幅
α、β  角度
【図１】
0003218627.tif 000003
【図２】
0003218627.tif 000004
【図３】
0003218627.tif 000005
【図４】
0003218627.tif 000006
【図５】
0003218627.tif 000007
【図６】
0003218627.tif 000008
【図７】
0003218627.tif 000009
【図８】
0003218627.tif 000010
【図９】
0003218627.tif 000011
【図１０】
0003218627.tif 000012
【図１１】
0003218627.tif 000013
【図１２】
0003218627.tif 000014
【図１３】
0003218627.tif 000015
【図１４】
0003218627.tif 000016
【図１５】
0003218627.tif 000017
【図１６】
0003218627.tif 000018
【図１７】
0003218627.tif 000019
【図１８】
0003218627.tif 000020
【手続補正書】
【提出日】平成30年7月23日(2018.7.23)
【手続補正１】
【補正対象書類名】実用新案登録請求の範囲
【補正対象項目名】全文
【補正方法】変更
【補正の内容】
【実用新案登録請求の範囲】
【請求項１】
チューブフィルタの支持ケージ（１）のホルダリングであって、
該ホルダリングは中心軸（２）の周りに延伸し、
前記ホルダリングは、前記中心軸（２）に関して半径方向外側にその周部にわたって分散された、半径方向外側に向かって開放されている複数の凹部（７）を備え、
該凹部（７）は作用していない状態で、前記中心軸（２）周りの周方向で見て内法幅（ｗ）を備え、
前記ホルダリングは少なくとも前記凹部（７）の領域において柔軟に設けられているので、前記内法幅（ｗ）よりも大きい太さ（ｄ）を備えかつ前記中心軸（２）に対して平行に延在する長手バー（６）が、半径方向外側から前記凹部（７）に圧入可能であり、かつ圧入後は前記凹部（７）内で締付保持されている
ホルダリングにおいて、
該ホルダリングが、半径方向内側に開放されかつ前記中心軸（７）周りの周方向で見て前記凹部（７）と同じ箇所に設けられているＵ字形の受容部（１２）を、半径方向内側に備えることを特徴とするホルダリング。
【請求項２】
前記ホルダリングは、そこから平らなウェブ（１０）が半径方向外側に延伸する、前記中心軸（２）の周囲を周回するメイン構造（９）を備えることを特徴とする請求項１に記載のホルダリング。
【請求項３】
前記凹部（７）は前記メイン構造（９）にではなく、もっぱら平らな前記ウェブ（１０）に設けられていることを特徴とする請求項２に記載のホルダリング。
【請求項４】
平らな前記ウェブ（１０）が前記凹部（７）の領域において、前記中心軸（２）の方向に延伸するそれぞれ１つの厚み部（１０’）を備えることと、前記中心軸（２）の方向での前記厚み部（１０’）の長さ（ｌ’）が、前記凹部（７）の前記内法幅（ｗ）よりも大きいこととを特徴とする請求項２あるいは３に記載のホルダリング。
【請求項５】
前記ホルダリングは、半径方向内側に向かって延伸しかつＵ字形の前記受容部（１２）をそれぞれ１つずつ含む平らな張出部（１３）を備えることを特徴とする請求項１から４のいずれか１項に記載のホルダリング。
【請求項６】
平らな前記張出部（１３）はその外側に、前記中心軸（２）の方向に延伸する末端部（１４）を備えるので、前記張出部（１３）はその末端部（１４）を含めて、その外側の領域において、Ｌ字形あるいはＴ字形の横断面を備えることを特徴とする請求項５に記載のホルダリング。
【請求項７】
前記ホルダリングは少なくともその表面好適にはすべてが、プラスチックから成ることを特徴とする請求項１から６のいずれか１項に記載のホルダリング。
【請求項８】
チューブフィルタの支持ケージ（１）の長手バーであって、
該長手バーは、メイン延伸方向に長さ（Ｈ）にわたって延伸しており、
前記長手バーは、メイン延伸方向に対して横方向で見て太さ（ｄ）を備え、
前記長手バーは、メイン延伸方向の方向で見てそれぞれ互いに距離（ａ）を取るいくつかの中間接合箇所（１５）を備える
長手バーにおいて、
メイン延伸方向が垂直に配向している場合、それぞれの前記中間接合箇所（１５）のすぐ上部および／あるいはすぐ下部の領域（１５’、１５”）において、前記長手バーは横断面がそれぞれ大きくなっているので、前記長手バーがそのそれぞれの中間接合箇所（１５）でメイン延伸方向に対して横方向に圧入されているそれぞれの中間ホルダリング（５）が、メイン延伸方向で見て少なくとも片側で、ずれないように固定されていることを特徴とする長手バー。
【請求項９】
前記長手バーが、メイン延伸方向に前記長手バーの前記長さ（Ｈ）にわたって延伸するメインセクション（１８）を備えることと、メイン延伸方向が垂直に配向している場合、前記長手バーはその下端部に、前記メインセクション（１８）とともに下部Ｕ字形の両腕部を形成する下部湾曲部（１９）を備えることとを特徴とする請求項８に記載の長手バー。
【請求項１０】
前記長手バーがメインセクション（１８）を備えることと、
メイン延伸方向が垂直に配向している場合、下部端末セクション（１９ａ）が前記メインセクション（１８）下部に隣接することと、
前記下部端末セクション（１９ａ）は、前記メインセクション（１８）に隣接する第１の下部部分セクション（１９ａ１）と前記長手バーの下端部を含む第２の下部部分セクション（１９ａ２）とその間にある第３の下部部分セクション（１９ａ３）とを含むことと、
前記第１の下部部分セクション（１９ａ１）は第１のカーブ方向に曲がっているので、前記下部端末セクション（１９ａ）の接線（１９ａ４）がメイン延伸方向とともに形成する角度（α）は、前記第１の下部部分セクション（１９ａ１）において、場所が前記長手バーの下端部への方向に進むに伴って、ますます大きくなることと、
前記第３の下部部分セクション（１９ａ３）は第１のカーブ方向とは逆に曲がっているので、前記角度（α）は前記第３の下部部分セクション（１９ａ３）において、場所が前記長手バーの下端部への方向に進むに伴って、まずはますます小さくなり、それからゼロになって、それからますます大きくなることと、
前記第２の下部部分セクション（１９ａ２）は第１のカーブ方向に曲がっているので、前記角度（α）は前記第２の下部部分セクション（１９ａ２）において、場所が前記長手バーの下端部への方向に進むに伴って、まずはますます小さくなり、それからゼロになって、それからますます大きくなることと
を特徴とする請求項８に記載の長手バー。
【請求項１１】
前記長手バーがメインセクション（１８）を備えることと、
メイン延伸方向が垂直に配向している場合、上部端末セクション（２０ａ）が前記メインセクション（１８）上部に隣接することと、
前記上部端末セクション（２０ａ）は、前記メインセクション（１８）に隣接する第１の上部部分セクション（２０ａ１）と前記長手バーの上端部を含む第２の上部部分セクション（２０ａ２）とその間にある第３の上部部分セクション（２０ａ３）とを含むことと、
前記第１の上部部分セクション（２０ａ１）は第２のカーブ方向に曲がっているので、前記上部端末セクション（２０ａ）の接線（２０ａ４）がメイン延伸方向とともに形成する角度（β）は、前記第１の上部部分セクション（２０ａ１）において、場所が前記長手バーの上端部への方向に進むに伴って、ますます大きくなることと、
前記第３の上部部分セクション（２０ａ３）は第２のカーブ方向とは逆に曲がっているので、前記角度（β）は前記第３の上部部分セクション（２０ａ３）において、場所が前記長手バーの上端部への方向に進むに伴って、まずはますます小さくなり、それからゼロになって、それからますます大きくなることと、
前記第２の上部部分セクション（２０ａ２）は第２のカーブ方向に曲がっているので、前記角度（β）は前記第２の上部部分セクション（２０ａ２）において、場所が前記長手バーの上端部への方向に進むに伴って、まずはますます小さくなり、それからゼロになって、それからますます大きくなることと
を特徴とする請求項８から１０のいずれか１項に記載の長手バー。
【請求項１２】
前記長手バーが、メイン延伸方向に前記長手バーの前記長さ（Ｈ）にわたって延伸するメインセクション（１８）を備えることと、メイン延伸方向が垂直に配向している場合、前記長手バーはその上端部に、前記メインセクション（１８）とともに上部Ｕ字形の両腕部を形成する上部湾曲部（２０）を備えることとを特徴とする請求項８から１０のいずれか１項に記載の長手バー。
【請求項１３】
前記メインセクション（１８）と前記下部湾曲部（１９）とを含む第１の平面で見て、前記上部湾曲部（２０）も第１の平面にあることを特徴とする請求項１２と関連した請求項９に記載の長手バー。
【請求項１４】
前記メインセクション（１８）と前記下部端末セクション（１９ａ）とを含む第１の平面で見て、前記上部湾曲部（２０）も第１の平面にあることを特徴とする請求項１２と関連した１０に記載の長手バー。
【請求項１５】
第１の平面の内部においてかつメイン延伸方向に対して直角に見て、前記メインセクション（１８）は前記下部湾曲部（１９）と前記上部湾曲部（２０）との間に設けられていることを特徴とする請求項１３に記載の長手バー。
【請求項１６】
第１の平面の内部においてかつメイン延伸方向に対して直角に見て、前記メインセクション（１８）は前記下部端末セクション（１９ａ）と前記上部湾曲部（２０）との間に設けられていることを特徴とする請求項１４に記載の長手バー。
【請求項１７】
前記メインセクション（１８）が、メイン延伸方向で見て、前記上部湾曲部（２０）の領域において上部セクション（２２）を備え、それに隣接して中間セクション（２３）を備え、それに隣接して前記下部湾曲部（１９）まで延伸する下部セクション（２４）を備えることと、
前記上部セクション（２２）と前記下部セクション（２４）とが、互いに同一線上に並んでいることと、
第１の平面の内部においてかつメイン延伸方向に対して直角に見て、前記上部セクション（２２）と前記下部セクション（２４）とが、前記上部湾曲部（２０）と前記中間セクション（２３）との間に設けられていること
とを特徴とする請求項１５に記載の長手バー。
【請求項１８】
前記メインセクション（１８）が、メイン延伸方向で見て、前記上部湾曲部（２０）の領域において上部セクション（２２）を備え、それに隣接して中間セクション（２３）を備え、それに隣接して前記下部端末セクション（１９ａ）まで延伸する下部セクション（２４）を備えることと、
前記上部セクション（２２）と前記下部セクション（２４）とが、互いに同一線上に並んでいることと、
第１の平面の内部においてかつメイン延伸方向に対して直角に見て、前記上部セクション（２２）と前記下部セクション（２４）とが、前記上部湾曲部（２０）と前記中間セクション（２３）との間に設けられていること
とを特徴とする請求項１６に記載の長手バー。
【請求項１９】
第１の平面で見て、前記中間接合箇所（１５）のすぐ上部および／あるいはすぐ下部の前記領域（１５’、１５”）においても、前記長手バーの横断面がこの領域（１５’、１５”）の外側と同じであることと、しかしながら、前記メインセクション（１８）を含みかつ第１の平面に対して直角に配向された第２の平面で見て、前記中間接合箇所（１５）のすぐ上部および／あるいはすぐ下部の前記領域（１５’、１５”）において、前記長手バーは横断面がそれぞれ大きくなっていることを特徴とする請求項１１あるいは請求項１３から１８のいずれか１項に記載の長手バー。
【請求項２０】
チューブフィルタの支持ケージであって、
該支持ケージは、複数のホルダリング（３から５）を備え、
該ホルダリング（３から５）の中心軸（２）は、前記支持ケージの円筒軸（２）と一致しており、
前記ホルダリング（３から５）は、前記支持ケージの前記円筒軸（２）の方向で見て、前記支持ケージの前記円筒軸（２）に対して平行に延在する長手バー（６）によって互いに距離を置いており、
前記ホルダリング（３から５）はそれぞれ、請求項１から７のいずれか１項に従って形成されており、
前記長手バー（６）はそれぞれ、請求項８から１６のいずれか１項に従って形成されており、
前記長手バー（６）の前記太さ（ｄ）は、前記ホルダリング（３から５）の前記凹部（７）の前記内法幅（ｗ）よりも大きく、
前記長手バー（６）は前記ホルダリング（３から５）の前記凹部（７）に圧入され、かつ該凹部（７）内に締付保持されている
支持ケージ。
【手続補正書】
【提出日】平成30年8月28日(2018.8.28)
【手続補正１】
【補正対象書類名】実用新案登録請求の範囲
【補正対象項目名】全文
【補正方法】変更
【補正の内容】
【実用新案登録請求の範囲】
【請求項１】
チューブフィルタの支持ケージ（１）のホルダリングであって、
該ホルダリングは中心軸（２）の周りに延伸し、
前記ホルダリングは、前記中心軸（２）に関して半径方向外側にその周部にわたって分散された、半径方向外側に向かって開放されている複数の凹部（７）を備え、
該凹部（７）は作用していない状態で、前記中心軸（２）周りの周方向で見て内法幅（ｗ）を備え、
前記ホルダリングは少なくとも前記凹部（７）の領域において柔軟に設けられているので、前記内法幅（ｗ）よりも大きい太さ（ｄ）を備えかつ前記中心軸（２）に対して平行に延在する長手バー（６）が、半径方向外側から前記凹部（７）に圧入可能であり、かつ圧入後は前記凹部（７）内で締付保持されている
ホルダリングにおいて、
該ホルダリングが、半径方向内側に開放されかつ前記中心軸（７）周りの周方向で見て前記凹部（７）と同じ箇所に設けられているＵ字形の受容部（１２）を、半径方向内側に備えることを特徴とするホルダリング。
【請求項２】
前記ホルダリングは、そこから平らなウェブ（１０）が半径方向外側に延伸する、前記中心軸（２）の周囲を周回するメイン構造（９）を備えることを特徴とする請求項１に記載のホルダリング。
【請求項３】
前記凹部（７）は前記メイン構造（９）にではなく、もっぱら平らな前記ウェブ（１０）に設けられていることを特徴とする請求項２に記載のホルダリング。
【請求項４】
平らな前記ウェブ（１０）が前記凹部（７）の領域において、前記中心軸（２）の方向に延伸するそれぞれ１つの厚み部（１０’）を備えることと、前記中心軸（２）の方向での前記厚み部（１０’）の長さ（ｌ’）が、前記凹部（７）の前記内法幅（ｗ）よりも大きいこととを特徴とする請求項２あるいは３に記載のホルダリング。
【請求項５】
前記ホルダリングは、半径方向内側に向かって延伸しかつＵ字形の前記受容部（１２）をそれぞれ１つずつ含む平らな張出部（１３）を備えることを特徴とする請求項１から４のいずれか１項に記載のホルダリング。
【請求項６】
平らな前記張出部（１３）はその外側に、前記中心軸（２）の方向に延伸する末端部（１４）を備えるので、前記張出部（１３）はその末端部（１４）を含めて、その外側の領域において、Ｌ字形あるいはＴ字形の横断面を備えることを特徴とする請求項５に記載のホルダリング。
【請求項７】
前記ホルダリングは少なくともその表面好適にはすべてが、プラスチックから成ることを特徴とする請求項１から６のいずれか１項に記載のホルダリング。
【請求項８】
チューブフィルタの支持ケージ（１）の長手バーであって、
該長手バーは、メイン延伸方向に長さ（Ｈ）にわたって延伸しており、
前記長手バーは、メイン延伸方向に対して横方向で見て太さ（ｄ）を備え、
前記長手バーは、メイン延伸方向の方向で見てそれぞれ互いに距離（ａ）を取るいくつかの中間接合箇所（１５）を備える
長手バーにおいて、
メイン延伸方向が垂直に配向している場合、それぞれの前記中間接合箇所（１５）のすぐ上部および／あるいはすぐ下部の領域（１５’、１５”）において、前記長手バーは横断面がそれぞれ大きくなっているので、前記長手バーがそのそれぞれの中間接合箇所（１５）でメイン延伸方向に対して横方向に圧入されているそれぞれの中間ホルダリング（５）が、メイン延伸方向で見て少なくとも片側で、ずれないように固定されていることを特徴とする長手バー。
【請求項９】
前記長手バーが、メイン延伸方向に前記長手バーの前記長さ（Ｈ）にわたって延伸するメインセクション（１８）を備えることと、メイン延伸方向が垂直に配向している場合、前記長手バーはその下端部に、前記メインセクション（１８）とともに下部Ｕ字形の両腕部を形成する下部湾曲部（１９）を備えることとを特徴とする請求項８に記載の長手バー。
【請求項１０】
前記長手バーがメインセクション（１８）を備えることと、
メイン延伸方向が垂直に配向している場合、下部端末セクション（１９ａ）が前記メインセクション（１８）下部に隣接することと、
前記下部端末セクション（１９ａ）は、前記メインセクション（１８）に隣接する第１の下部部分セクション（１９ａ１）と前記長手バーの下端部を含む第２の下部部分セクション（１９ａ２）とその間にある第３の下部部分セクション（１９ａ３）とを含むことと、
前記第１の下部部分セクション（１９ａ１）は第１のカーブ方向に曲がっているので、前記下部端末セクション（１９ａ）の接線（１９ａ４）がメイン延伸方向とともに形成する角度（α）は、前記第１の下部部分セクション（１９ａ１）において、場所が前記長手バーの下端部への方向に進むに伴って、ますます大きくなることと、
前記第３の下部部分セクション（１９ａ３）は第１のカーブ方向とは逆に曲がっているので、前記角度（α）は前記第３の下部部分セクション（１９ａ３）において、場所が前記長手バーの下端部への方向に進むに伴って、まずはますます小さくなり、それからゼロになって、それからますます大きくなることと、
前記第２の下部部分セクション（１９ａ２）は第１のカーブ方向に曲がっているので、前記角度（α）は前記第２の下部部分セクション（１９ａ２）において、場所が前記長手バーの下端部への方向に進むに伴って、まずはますます小さくなり、それからゼロになって、それからますます大きくなることとを特徴とする請求項８に記載の長手バー。
【請求項１１】
前記長手バーがメインセクション（１８）を備えることと、
メイン延伸方向が垂直に配向している場合、上部端末セクション（２０ａ）が前記メインセクション（１８）上部に隣接することと、
前記上部端末セクション（２０ａ）は、前記メインセクション（１８）に隣接する第１の上部部分セクション（２０ａ１）と前記長手バーの上端部を含む第２の上部部分セクション（２０ａ２）とその間にある第３の上部部分セクション（２０ａ３）とを含むことと、
前記第１の上部部分セクション（２０ａ１）は第２のカーブ方向に曲がっているので、前記上部端末セクション（２０ａ）の接線（２０ａ４）がメイン延伸方向とともに形成する角度（β）は、前記第１の上部部分セクション（２０ａ１）において、場所が前記長手バーの上端部への方向に進むに伴って、ますます大きくなることと、
前記第３の上部部分セクション（２０ａ３）は第２のカーブ方向とは逆に曲がっているので、前記角度（β）は前記第３の上部部分セクション（２０ａ３）において、場所が前記長手バーの上端部への方向に進むに伴って、まずはますます小さくなり、それからゼロになって、それからますます大きくなることと、
前記第２の上部部分セクション（２０ａ２）は第２のカーブ方向に曲がっているので、前記角度（β）は前記第２の上部部分セクション（２０ａ２）において、場所が前記長手バーの上端部への方向に進むに伴って、まずはますます小さくなり、それからゼロになって、それからますます大きくなることとを特徴とする請求項８から１０のいずれか１項に記載の長手バー。
【請求項１２】
前記長手バーが、メイン延伸方向に前記長手バーの前記長さ（Ｈ）にわたって延伸するメインセクション（１８）を備えることと、メイン延伸方向が垂直に配向している場合、前記長手バーはその上端部に、前記メインセクション（１８）とともに上部Ｕ字形の両腕部を形成する上部湾曲部（２０）を備えることとを特徴とする請求項８から１０のいずれか１項に記載の長手バー。
【請求項１３】
前記メインセクション（１８）と前記下部湾曲部（１９）とを含む第１の平面で見て、前記上部湾曲部（２０）も第１の平面にあることを特徴とする請求項９を引用する請求項１２に記載の長手バー。
【請求項１４】
前記メインセクション（１８）と前記下部端末セクション（１９ａ）とを含む第１の平面で見て、前記上部湾曲部（２０）も第１の平面にあることを特徴とする請求項１０を引用する請求項１２に記載の長手バー。
【請求項１５】
第１の平面の内部においてかつメイン延伸方向に対して直角に見て、前記メインセクション（１８）は前記下部湾曲部（１９）と前記上部湾曲部（２０）との間に設けられていることを特徴とする請求項１３に記載の長手バー。
【請求項１６】
第１の平面の内部においてかつメイン延伸方向に対して直角に見て、前記メインセクション（１８）は前記下部端末セクション（１９ａ）と前記上部湾曲部（２０）との間に設けられていることを特徴とする請求項１４に記載の長手バー。
【請求項１７】
前記メインセクション（１８）が、メイン延伸方向で見て、前記上部湾曲部（２０）の領域において上部セクション（２２）を備え、それに隣接して中間セクション（２３）を備え、それに隣接して前記下部湾曲部（１９）まで延伸する下部セクション（２４）を備えることと、
前記上部セクション（２２）と前記下部セクション（２４）とが、互いに同一線上に並んでいることと、
第１の平面の内部においてかつメイン延伸方向に対して直角に見て、前記上部セクション（２２）と前記下部セクション（２４）とが、前記上部湾曲部（２０）と前記中間セクション（２３）との間に設けられていることとを特徴とする請求項１５に記載の長手バー。
【請求項１８】
前記メインセクション（１８）が、メイン延伸方向で見て、前記上部湾曲部（２０）の領域において上部セクション（２２）を備え、それに隣接して中間セクション（２３）を備え、それに隣接して前記下部端末セクション（１９ａ）まで延伸する下部セクション（２４）を備えることと、
前記上部セクション（２２）と前記下部セクション（２４）とが、互いに同一線上に並んでいることと、
第１の平面の内部においてかつメイン延伸方向に対して直角に見て、前記上部セクション（２２）と前記下部セクション（２４）とが、前記上部湾曲部（２０）と前記中間セクション（２３）との間に設けられていることとを特徴とする請求項１６に記載の長手バー。
【請求項１９】
第１の平面で見て、前記中間接合箇所（１５）のすぐ上部および／あるいはすぐ下部の前記領域（１５’、１５”）においても、前記長手バーの横断面がこの領域（１５’、１５”）の外側と同じであることと、しかしながら、前記メインセクション（１８）を含みかつ第１の平面に対して直角に配向された第２の平面で見て、前記中間接合箇所（１５）のすぐ上部および／あるいはすぐ下部の前記領域（１５’、１５”）において、前記長手バーは横断面がそれぞれ大きくなっていることを特徴とする請求項１１あるいは請求項１３から１８のいずれか１項に記載の長手バー。
【請求項２０】
チューブフィルタの支持ケージであって、
該支持ケージは、複数のホルダリング（３から５）を備え、
該ホルダリング（３から５）の中心軸（２）は、前記支持ケージの円筒軸（２）と一致しており、
前記ホルダリング（３から５）は、前記支持ケージの前記円筒軸（２）の方向で見て、前記支持ケージの前記円筒軸（２）に対して平行に延在する長手バー（６）によって互いに距離を置いており、
前記ホルダリング（３から５）はそれぞれ、請求項１から７のいずれか１項に従って形成されており、
前記長手バー（６）はそれぞれ、請求項８から１６のいずれか１項に従って形成されており、
前記長手バー（６）の前記太さ（ｄ）は、前記ホルダリング（３から５）の前記凹部（７）の前記内法幅（ｗ）よりも大きく、
前記長手バー（６）は前記ホルダリング（３から５）の前記凹部（７）に圧入され、かつ該凹部（７）内に締付保持されている支持ケージ。